(57)【要約】【課題】高い位置精度で各光学要素を配置することを可能とし、薄型な構成により高品質な画像を表示することが可能なリアプロジェクタを提供すること。【解決手段】画像信号に応じた光を供給する光学エンジン部と、画像信号に応じた光を出射するスクリーンと、少なくとも光学エンジン部を収容する筐体と、を有し、筐体は、スクリーンを備える正面部２１と、正面部２１及び光学エンジン部を固定する構造体２２と、を有し、構造体２２は、正面部２１の外縁に沿って形成された枠部である正面側枠部２５を有する。【選択図】図３
2007206395.tif 000002
【特許請求の範囲】
【請求項１】
画像信号に応じた光を供給する光学エンジン部と、
前記画像信号に応じた光を出射するスクリーンと、
少なくとも前記光学エンジン部を収容する筐体と、を有し、
前記筐体は、前記スクリーンを備える正面部と、前記正面部及び前記光学エンジン部を
固定する構造体と、を有することを特徴とするリアプロジェクタ。
【請求項２】
前記構造体は、前記正面部の外縁に沿って形成された枠部を有することを特徴とする請
求項１に記載のリアプロジェクタ。
【請求項３】
前記光学エンジン部からの前記画像信号に応じた光を折り返して前記スクリーンへ導く
反射部を有し、
前記構造体は、前記反射部を固定することを特徴とする請求項１又は２に記載のリアプ
ロジェクタ。
【請求項４】
前記構造体は、骨組構造を有することを特徴とする請求項１〜３のいずれか一項に記載
のリアプロジェクタ。
【請求項５】
前記正面部は、前記スクリーンを支持するスクリーン支持部を有することを特徴とする
請求項１〜４のいずれか一項に記載のリアプロジェクタ。
【請求項６】
前記スクリーン支持部は、前記正面部のうち前記画像信号に応じた光の出射側において
前記スクリーンを支持することを特徴とする請求項５に記載のリアプロジェクタ。
【請求項７】
前記正面部は、前記画像信号に応じた光を透過する透過部を有し、
前記スクリーンは、前記透過部を含むことを特徴とする請求項１〜４のいずれか一項に
記載のリアプロジェクタ。
【請求項８】
前記スクリーンは、少なくとも前記画像信号に応じた光を角度変換する光学部を有し、
前記光学部は、前記透過部上に設けられることを特徴とする請求項７に記載のリアプロ
ジェクタ。
【請求項９】
前記透過部は、少なくとも前記画像信号に応じた光を角度変換する光学部を有すること
を特徴とする請求項７に記載のリアプロジェクタ。
【請求項１０】
前記正面部は、前記スクリーンの外縁近傍を補強する補強部を有することを特徴とする
請求項１〜９のいずれか一項に記載のリアプロジェクタ。
【発明の詳細な説明】
【技術分野】
【０００１】
本発明は、画像信号に応じた光をスクリーンに透過させることにより画像を表示するリ
アプロジェクタの技術に関する。
【背景技術】
【０００２】
画像信号に応じた光をスクリーンに透過させることにより画像を表示するリアプロジェ
クタの筐体に関して、例えば特許文献１及び２に記載されている。
【０００３】
【特許文献１】特開平８−３１４００３号公報
【特許文献２】特開２００５−１０５６８号公報
【発明の開示】
【発明が解決しようとする課題】
【０００４】
リアプロジェクタは、薄型な構成によって大きな画像を表示するために、スクリーンに
対して斜め方向に光を入射させる技術が開示されている。筐体を薄型とし、スクリーンに
対して光を斜めに入射させる場合、リアプロジェクタは、各光学要素、例えば光学エンジ
ン部、スクリーン、光を折り返すミラー等の位置決めに関して高い精度が要求されること
となる。例えば、光学要素の位置ずれにより顕著なフォーカスずれを生じる場合や、スク
リーンの少しの撓みによって映像の歪曲を生じる場合が考えられる。これに対して、従来
のリアプロジェクタは、画像信号に応じた光を供給する光学エンジン部を格納する下部筐
体と、スクリーン及びミラーを格納する上部筐体により主に構成されている。かかる構成
の場合、各光学要素の相対位置の細かい調整が難しいため、各光学要素の位置精度を高め
ることが困難であるという問題を生じる。本発明は、上述の問題に鑑みてなされたもので
あり、高い位置精度で各光学要素を配置することを可能とし、薄型な構成により高品質な
画像を表示可能なリアプロジェクタを提供することを目的とする。
【課題を解決するための手段】
【０００５】
上述した課題を解決し、目的を達成するために、本発明によれば、画像信号に応じた光
を供給する光学エンジン部と、画像信号に応じた光を出射するスクリーンと、少なくとも
光学エンジン部を収容する筐体と、を有し、筐体は、スクリーンを備える正面部と、正面
部及び光学エンジン部を固定する構造体と、を有することを特徴とするリアプロジェクタ
を提供することができる。
【０００６】
構造体において正面部と光学エンジン部とを固定する構成とすることにより、構造体を
基準としてスクリーンと光学エンジン部の相対位置を正確に決定することができる。また
、構造体を強固な構成とすることにより、スクリーンと光学エンジン部とを高い精度で位
置決めすることを可能とし、リアプロジェクタを薄型な構成としても高品質な画像を表示
することが可能となる。これにより、高い位置精度で各光学要素を配置することを可能と
し、薄型な構成により高品質な画像を表示可能なリアプロジェクタを得られる。また、筐
体全体の剛性を高めることを可能とし、長期に渡る信頼性を確保することができる。
【０００７】
また、本発明の好ましい態様としては、構造体は、正面部の外縁に沿って形成された枠
部を有することが望ましい。構造体は、正面部の外縁に沿って形成された枠部に正面部を
固定することにより、高い位置精度でスクリーンを配置することができる。また、枠部を
強固な構成とすることにより、スクリーンの撓みや歪みを低減し、高品質な画像を表示す
ることができる。
【０００８】
また、本発明の好ましい態様としては、光学エンジン部からの画像信号に応じた光を折
り返してスクリーンへ導く反射部を有し、構造体は、反射部を固定することが望ましい。
構造体において正面部、光学エンジン部の他反射部を固定する構成とすることにより、ス
クリーン、反射部、光学エンジン部の相対位置を正確に決定することができる。これによ
り、高い位置精度でスクリーン、反射部、光学エンジン部を配置することができる。
【０００９】
また、本発明の好ましい態様としては、構造体は、骨組構造を有することが望ましい。
骨組構造を有する構造体を用いることにより、構造体を軽量かつ強固な構成とすることが
できる。これにより、軽量な構成により、高い位置精度で各光学要素を配置することがで
きる。また、薄型な筐体において十分な剛性を確保することができる。
【００１０】
また、本発明の好ましい態様としては、正面部は、スクリーンを支持するスクリーン支
持部を有することが望ましい。各光学要素の位置精度を高めることが要求される場合、各
光学要素の組み付け後に細かい位置調整が必要となることが考えられる。スクリーン支持
部を着脱可能な構成とすることにより、スクリーンを容易に着脱することができる。スク
リーンを容易に着脱可能とすることにより、各光学要素の組み付け後の筐体内部のメンテ
ナンスや各光学要素の細かい位置調整を容易に行うことが可能となる。これにより、各光
学要素の組み付け後のメンテナンスを容易に行うことを可能とし、各光学要素の位置精度
をさらに高めることができる。
【００１１】
また、本発明の好ましい態様としては、スクリーン支持部は、正面部のうち画像信号に
応じた光の出射側においてスクリーンを支持することが望ましい。これにより、スクリー
ンを筐体外部側へ取り外すことを可能とし、筐体内部のメンテナンスを容易に行うことが
できる。
【００１２】
また、本発明の好ましい態様としては、正面部は、画像信号に応じた光を透過する透過
部を有し、スクリーンは、透過部を含むことが望ましい。例えば、開口部分に板状のスク
リーンをはめ込む構成の場合、スクリーン及びその周辺部の収縮率差等により歪みやガタ
つきを生じる場合が考えられる。正面部の透過部をスクリーンとして用いることにより、
正面部の強度をさらに高め、スクリーンの撓み、歪みを低減することができる。また、ス
クリーン及びその周辺部の収縮率差を生じさせない点でも、スクリーンの撓み、歪みが低
減される。これにより、さらに高い信頼性を得ることができる。
【００１３】
また、本発明の好ましい態様としては、スクリーンは、少なくとも画像信号に応じた光
を角度変換する光学部を有し、光学部は、透過部上に設けられることが望ましい。透過部
上に光学部を設けることで、透過部を含むスクリーンを形成することができる。
【００１４】
また、本発明の好ましい態様としては、透過部は、少なくとも画像信号に応じた光を角
度変換する光学部を有することが望ましい。透過部に光学部を設けることで、透過部自体
をスクリーンとすることができる。
【００１５】
また、本発明の好ましい態様としては、正面部は、スクリーンの外縁近傍を補強する補
強部を有することが望ましい。補強部を設けることで、スクリーンの撓み、歪みを低減す
ることができる。これにより、さらに高い信頼性を得ることができる。
【発明を実施するための最良の形態】
【００１６】
以下に図面を参照して、本発明の実施例を詳細に説明する。
【実施例】
【００１７】
図１は、本発明の実施例に係るリアプロジェクタ１００の概略構成を示す。リアプロジ
ェクタ１００は、スクリーン１４の一方の面に光を投写し、スクリーン１４の他方の面か
ら出射する光を観察することで画像を鑑賞するものである。光学エンジン部１０は、画像
信号に応じて変調された光を供給する。
【００１８】
図２は、光学エンジン部１０の構成を説明するものである。光源部である超高圧水銀ラ
ンプ１０１は、第１色光である赤色光（以下、「Ｒ光」という。）、第２色光である緑色
光（以下、「Ｇ光」という。）、及び第３色光である青色光（以下、「Ｂ光」という。）
を含む光を供給する。インテグレータ１０２は、超高圧水銀ランプ１０１からの光の照度
分布を空間光変調装置上で均一化させる。インテグレータ１０２を経た光は、偏光変換素
子１０３にて特定の振動方向を有する偏光光、例えばｓ偏光光に変換される。
【００１９】
ｓ偏光光に変換された光は、反射ミラー１０４で光路を９０度折り曲げられた後、Ｒ光
透過ダイクロイックミラー１０５Ｒに入射する。Ｒ光透過ダイクロイックミラー１０５Ｒ
は、Ｒ光を透過させ、Ｇ光、Ｂ光を反射する。Ｒ光透過ダイクロイックミラー１０５Ｒを
透過したＲ光は、反射ミラー１０５で光路を９０度折り曲げられ、Ｒ光用空間光変調装置
１０７Ｒに入射する。Ｒ光用空間光変調装置１０７Ｒは、Ｒ光を画像信号に応じて変調す
る透過型の液晶表示装置である。なお、ダイクロイックミラーを透過しても光の偏光方向
は変化しないため、Ｒ光用空間光変調装置１０７Ｒに入射するＲ光は、ｓ偏光光のままの
状態である。
【００２０】
Ｒ光用空間光変調装置１０７Ｒに入射したｓ偏光光は、不図示の液晶パネルに入射する
。液晶パネルは、２つの透明基板の間に、画像表示のための液晶層を封入している。液晶
パネルに入射したｓ偏光光は、画像信号に応じた変調によりｐ偏光光に変換される。Ｒ光
用空間光変調装置１０７Ｒは、変調によりｐ偏光光に変換されたＲ光を出射する。このよ
うにして、Ｒ光用空間光変調装置１０７Ｒで変調されたＲ光は、色合成光学系であるクロ
スダイクロイックプリズム１０８に入射する。
【００２１】
Ｒ光透過ダイクロイックミラー１０５Ｒで反射されたＧ光及びＢ光は、光路を９０度折
り曲げられた後、Ｂ光透過ダイクロイックミラー１０５Ｇに入射する。Ｂ光透過ダイクロ
イックミラー１０５Ｇは、Ｇ光を反射し、Ｂ光を透過させる。Ｂ光透過ダイクロイックミ
ラー１０５Ｇで反射されたＧ光は、Ｇ光用空間光変調装置１０７Ｇに入射する。Ｇ光用空
間光変調装置１０７Ｇは、Ｇ光を画像信号に応じて変調する透過型の液晶表示装置である
。Ｇ光用空間光変調装置１０７Ｇに入射したｓ偏光光は、液晶パネルでの変調によりｐ偏
光光に変換される。Ｇ光用空間光変調装置１０７Ｇは、変調によりｐ偏光光に変換された
Ｇ光を出射する。このようにして、Ｇ光用空間光変調装置１０７Ｇで変調されたＧ光は、
クロスダイクロイックプリズム１０８に入射する。
【００２２】
Ｂ光透過ダイクロイックミラー１０５Ｇを透過したＢ光は、２枚のリレーレンズ１０６
と、２枚の反射ミラー１０５とを経由して、Ｂ光用空間光変調装置１０７Ｂに入射する。
Ｂ光用空間光変調装置１０７Ｂは、Ｂ光を画像信号に応じて変調する透過型の液晶表示装
置である。なお、Ｂ光にリレーレンズ１０６を経由させるのは、Ｂ光の光路がＲ光及びＧ
光の光路よりも長いためである。リレーレンズ１０６を用いることにより、Ｂ光透過ダイ
クロイックミラー１０５Ｇを透過したＢ光を、そのままＢ光用空間光変調装置１０７Ｂへ
導くことができる。
【００２３】
Ｂ光用空間光変調装置１０７Ｂに入射したｓ偏光光は、液晶パネルでの変調によりｐ偏
光光に変換される。Ｂ光用空間光変調装置１０７Ｂは、変調によりｐ偏光光に変換された
Ｂ光を出射する。このようにして、Ｂ光用空間光変調装置１０７Ｂで変調されたＢ光は、
色合成光学系であるクロスダイクロイックプリズム１０８に入射する。なお、各空間光変
調装置１０７Ｒ、１０７Ｇ、１０７Ｂは、変調によりｓ偏光光をｐ偏光光に変換するほか
、ｐ偏光光をｓ偏光光に変換することとしても良い。
【００２４】
クロスダイクロイックプリズム１０８は、互いに略直交するように配置された２つのダ
イクロイック膜１０８ａ、１０８ｂを有する。第１ダイクロイック膜１０８ａは、Ｂ光を
反射し、Ｒ光、Ｇ光を透過する。第２ダイクロイック膜１０８ｂは、Ｒ光を反射し、Ｂ光
、Ｇ光を透過する。かかる構成により、クロスダイクロイックプリズム１０８は、Ｒ光、
Ｇ光及びＢ光を合成する。投写レンズ１１は、クロスダイクロイックプリズム１０８で合
成された光を曲面ミラー１２（図１参照）の方向へ投写する。
【００２５】
図１に戻って、曲面ミラー１２は、投写レンズ１１及び平面ミラー１３に対向する位置
に設けられている。曲面ミラー１２は、非球面形状とすることにより、光の折り返しと広
角化とを同時に行う。平面ミラー１３は、リアプロジェクタ１００の背面側に形成されて
いる。平面ミラー１３は、光学エンジン部１０からの画像信号に応じた光を折り返してス
クリーン１４へ導く反射部である。平面ミラー１３は、平面形状を有する。曲面ミラー１
２及び平面ミラー１３は、基材上に反射膜を形成することにより構成できる。反射膜とし
ては、高反射性の部材の層、例えばアルミニウム等の金属部材の層や誘電体多層膜等を用
いることができる。また、反射膜の上には、透明部材を有する保護膜を形成することとし
ても良い。
【００２６】
スクリーン１４は、正面部２１に形成されている。スクリーン１４は、画像信号に応じ
た光を出射する。スクリーン１４は、例えば、光を観察者側へ角度変換するフレネルレン
ズや、光を拡散させるレンズアレイ、光拡散性を備える拡散板（いずれも不図示。）等を
有する。リアプロジェクタ１００は、スクリーン１４に対して斜め方向へ画像信号に応じ
た光を入射させる構成とすることで、薄型にすることができる。リアプロジェクタ１００
の筐体は、正面部２１、構造体２２、背面部２３、底面部２４を有する。筐体は、光学エ
ンジン部１０、曲面ミラー１２、平面ミラー１３を収容する。
【００２７】
図３は、リアプロジェクタ１００の筐体の構成を説明するものである。構造体２２は、
筐体全体を縁取るような骨組構造を有する。構造体２２は、例えば、アルミニウム等の金
属部材により形成することができる。構造体２２は、骨組構造とすることにより、軽量か
つ強固な構成とすることができる。構造体２２は、正面部２１の外縁に沿って形成された
枠部である正面側枠部２５を有する。正面部２１は、構造体２２の正面側を覆うように、
構造体２２の正面側枠部２５に固定されている。背面部２３は、４つの板状部材を組み合
わせて構成されている。背面部２３は、構造体２２の背面側、天井側、及び２つの側面側
を覆うように設けられている。底面部２４は、板状部材で構成されている。底面部２４は
、構造体２２の底面側を覆うように設けられる。筐体は、正面部２１、背面部２３、及び
底面部２４により筐体内部を密閉している。
【００２８】
図４は、光学エンジン部１０及び平面ミラー１３の配置について説明するものである。
平面ミラー１３は、構造体２２のうち背面側に形成された背面側枠部２６の一部に固定さ
れている。光学エンジン部１０は、背面側枠部２６の底面側部分、及び背面側枠部２６の
底面側部分の近傍の構造体補強部２７に固定されている。構造体補強部２７は、構造体２
２の骨組構造を補強するために、光学エンジン部１０の下部において正面側枠部２５及び
背面側枠部２６を繋ぎ合わせる。
【００２９】
このように、構造体２２は、正面部２１、光学エンジン部１０、及び平面ミラー１３を
固定する。正面部２１、光学エンジン部１０、及び平面ミラー１３を構造体２２に固定す
る構成とすることにより、構造体２２を基準としてスクリーン１４、光学エンジン部１０
、平面ミラー１３の相対位置を正確に決定することができる。また、構造体２２を強固な
構成とすることにより、スクリーン１４、光学エンジン部１０、平面ミラー１３の各位置
精度を高め、薄型なリアプロジェクタ１００により高品質な画像を表示することが可能と
なる。
【００３０】
構造体２２の正面側枠部２５の全体に正面部２１を固定させることで、スクリーン１４
の位置精度を高めることができる、また、正面側枠部２５を強固な構成とすることにより
、スクリーン１４の撓みや歪みを低減し、高品質な画像を表示することができる。以上に
より、高い位置精度で各光学要素を配置することを可能とし、薄型な構成により高品質な
画像を表示できるという効果を奏する。また、骨組構造の構造体２２により筐体を補強す
る構成とするため、筐体全体の剛性を高め、長期に渡る信頼性を確保することができる。
また、骨組構造の構造体２２を用いることにより、筐体を構成する全パーツを強固なもの
とする場合の重量増や、筐体の厚みの増大の回避も可能となる。
【００３１】
構造体２２は、図４等にて図示する形状とする場合に限られず、図示するものとは異な
る形状としても良い。また、構造体２２は、骨組構造のみにより構成する場合に限られず
、構造体２２の背面側、天井側、２つの側面側、底面側の少なくとも１つの側を筐体の一
部をなす板状部材で構成することとしても良い。例えば、構造体２２の底面側を板状部材
とすることで、筐体の底面についてさらに強度を確保することが可能となる。構造体２２
の一部を構成する板状部材としては、金属部材により構成されるものや、断面を凹凸形状
として補強されたものを用いることができる。また、構造体２２は、筐体の一部をなす板
状部材と骨組構造とを一体として構成することとしても良い。この場合、例えば樹脂によ
り構成された板状部材と、金属部材により構成された骨組部材とを組み合わせることとし
ても良い。光学エンジン部１０や平面ミラー１３は、骨組構造と一体とされた板状部材に
固定することとしても良い。
【００３２】
また、光学エンジン部１０及び平面ミラー１３は、構造体２２のいずれかの位置に固定
されていれば良く、図４にて図示する位置に固定される場合に限られない。さらに、リア
プロジェクタ１００は、光学エンジン部１０からスクリーン１４までの光路中に設けられ
る他の要素、例えば、曲面ミラー１２や本実施例で説明する以外の光学素子を構造体２２
に固定することとしても良い。これにより、光学エンジン部１０からスクリーン１４まで
の光路中の各部の位置精度を高め、高品質な画像を表示することができる。
【００３３】
図５は、正面部２１の断面構成を示す。スクリーン１４は、スクリーン枠部３１及びス
クリーン押さえ部３２により挟持されている。スクリーン枠部３１は、正面部２１のうち
画像信号に応じた光の出射側においてスクリーン１４を支持するスクリーン支持部である
。正面部２１は、固定部３４により、構造体２２（図４参照）に固定されている。スクリ
ーン枠部３１は、筐体外部側から差し込まれたネジ３３により、固定部３４に固定されて
いる。スクリーン枠部３１は、筐体外部側のネジ３３を緩めることにより、固定部３４か
ら取り外すことができる。
【００３４】
リアプロジェクタ１００の各光学要素の位置精度を高めることが要求される場合、各光
学要素の組み付け後に細かい位置調整が必要となることが考えられる。筐体外部側にてス
クリーン枠部３１を着脱可能な構成とすることにより、スクリーン１４を容易に着脱する
ことができる。スクリーン１４を容易に着脱可能とすることにより、各光学要素の組み付
け後の筐体内部のメンテナンスや各光学要素の細かい位置調整を容易に行うことが可能と
なる。これにより、各光学要素の組み付け後のメンテナンスを容易に行うことを可能とし
、各光学要素の位置精度をさらに高めることができる。リアプロジェクタ１００は、背面
部２３や底面部２４を構造体２２から取り外し可能な構成としても良い。この場合も、各
光学要素の組み付け後のメンテナンスや位置調整を容易に行うことが可能である。
【００３５】
図６は、本実施例の変形例に係る正面部４１の断面構成を示す。本変形例の正面部４１
は、上記のリアプロジェクタ１００に適用することができる。本変形例の正面部４１は、
透過部４２と、透過部４２の周囲に設けられたスクリーン周辺部４５とを有する。透過部
４２は、正面部４１の略平坦な部分に形成されている。透過部４２は、画像信号に応じた
光を透過する。透過部４２とスクリーン周辺部４５とは、一体構造をなしている。例えば
、透過部４２及びスクリーン周辺部４５は、透明樹脂により一体構造を形成した後、スク
リーン周辺部４５の部分を所望の色調に着色し透過部４２の部分を無色のままとする二色
成形法を用いて形成できる。
【００３６】
透過部４２の筐体内部側には、光学フィルム４３が貼り合わされている。スクリーン４
４は、光学フィルム４３及び透過部４２を用いて構成されている。光学フィルム４３は、
スクリーン４４に対して斜めに入射する画像信号に応じた光を観察者側へ角度変換する機
能、及び観察者側にて光を拡散させる機能を有する光学部である。光学フィルム４３を用
いることにより、透過部４２を含むスクリーン４４を形成することができる。透過部４２
は、光学フィルム４３を保護する透明基板として機能する。
【００３７】
光学フィルム４３は、例えばフレネルレンズと同様の構成を備えることにより、光を角
度変換することができる。また、光学フィルム４３は、レンズアレイと同様の構成を備え
ることにより、光を拡散させることができる。光学フィルム４３は、光を拡散させる拡散
剤を分散させる他、微小な凹凸を施した拡散面を有する構成としても良い。光学フィルム
４３は、少なくとも光を角度変換させるものであれば良く、レンズアレイと同様に光を拡
散させる他の光学フィルムや、光を拡散させる拡散板を併せて用いることとしても良い。
【００３８】
例えば、開口部分に板状のスクリーンをはめ込む構成の場合、スクリーン及びその周辺
部の収縮率差等により歪みやガタつきを生じる場合が考えられる。正面部４１の透過部４
２をスクリーン４４として用いることにより、正面部４１の強度をさらに高め、スクリー
ン４４の撓み、歪みを低減することができる。また、スクリーン及びその周辺部の収縮率
差を生じさせない点でも、スクリーン４４の撓み、歪みが低減される。これにより、さら
に高い信頼性を得ることができる。
【００３９】
また、正面部は、透過部自体に光学部を形成する構成としても良い。図７に示す正面部
５１のスクリーン５４は、筐体内部側に光学部５３が形成された透過部である。光学部５
３は、画像信号に応じた光の角度変換、及び光の拡散を行う。この場合も、透過部自体を
スクリーン５４とし、高い信頼性を得ることができる。光学部５３は、金型を用いた型転
写や型押し、射出成形等により形成することができる。
【００４０】
さらに、正面部は、スクリーンの撓み、歪みを低減するための補強部を設けることとし
ても良い。図８に示す正面部６１は、図５に示す正面部２１の構成に補強部６２を追加し
た構成を有する。補強部６２は、正面部６１のうちスクリーン１４の外縁近傍を補強する
ものである。補強部６２としては、アルミニウム等の金属部材、又は金属部材を芯とする
樹脂部材により構成された棒状部材を用いることができる。補強部６２を用いることで、
スクリーン１４の撓みや歪みを低減し、さらに高い信頼性を得ることができる。なお、正
面部６１は、固定部３４のうちスクリーン１４の外縁近傍の部分に厚みを持たせて補強部
として機能させることとしても良く、厚みを持たせた部分にさらに金属部材の芯を埋め込
む構成としても良い。
【００４１】
リアプロジェクタ１００は、光源部として超高圧水銀ランプを用いる他、例えば、発光
ダイオード素子（ＬＥＤ）等の固体発光素子を用いても良い。また、リアプロジェクタ１
００は、３つの透過型液晶表示装置を設ける場合に限らず、例えば、１つの透過型液晶表
示装置や、反射型液晶表示装置、微小ミラーアレイデバイスを設けることとしても良い。
さらに、リアプロジェクタ１００は、画像信号に応じたレーザ光を走査させることで画像
を表示するレーザプロジェクタであっても良い。
【産業上の利用可能性】
【００４２】
以上のように、本発明に係るリアプロジェクタは、薄型な構成により高品質な画像を表
示する場合に適している。
【図面の簡単な説明】
【００４３】
【図１】本発明の実施例に係るリアプロジェクタの概略構成を示す図。
【図２】光学エンジン部の構成を説明する図。
【図３】リアプロジェクタの筐体の構成を説明する図。
【図４】光学エンジン部及び平面ミラーの配置について説明する図。
【図５】正面部の断面構成を示す図。
【図６】実施例の変形例に係る正面部の断面構成を示す図。
【図７】透過部自体に光学部を形成する正面部の構成を説明する図。
【図８】補強部が設けられた正面部の構成を説明する図。
【符号の説明】
【００４４】
１０  光学エンジン部、１１  投写レンズ、１２  曲面ミラー、１３  平面ミラー、１
４  スクリーン、２１  正面部、２２  構造体、２３  背面部、２４  底面部、１００  
リアプロジェクタ、１０１  超高圧水銀ランプ、１０２  インテグレータ、１０３  偏光
変換素子、１０４  反射ミラー、１０５Ｒ  Ｒ光透過ダイクロイックミラー、１０５Ｇ  
Ｂ光透過ダイクロイックミラー、１０５  反射ミラー、１０６  リレーレンズ、１０７Ｒ
Ｒ光用空間光変調装置、１０７Ｇ  Ｇ光用空間光変調装置、１０７Ｂ  Ｂ光用空間光変
調装置、１０８  クロスダイクロイックプリズム、１０８ａ  第１ダイクロイック膜、１
０８ｂ  第２ダイクロイック膜、２５  正面側枠部、２６  背面側枠部、２７  構造体補
強部、３１  スクリーン枠部、３２  スクリーン押さえ部、３３  ネジ、３４  固定部、
４１  正面部、４２  透過部、４３  光学フィルム、４４  スクリーン、４５  スクリー
ン周辺部、５１  正面部、５３  光学部、５４  スクリーン、６１  正面部、６２  補強
部
【図１】
2007206395.tif 000003
【図２】
2007206395.tif 000004
【図３】
2007206395.tif 000005
【図４】
2007206395.tif 000006
【図５】
2007206395.tif 000007
【図６】
2007206395.tif 000008
【図７】
2007206395.tif 000009
【図８】
2007206395.tif 000010